(57)【特許請求の範囲】
【請求項１】
画面に触れて入力を行う表示入力手段と、患者に対して所定の治療ステップを実行する治療モードと治療のための準備モードとを有する制御手段とを備えた治療装置において、
上記表示入力手段に対する入力操作に応じて操作音を発生させる音出力手段と画面を振動させる振動発生手段とを設け、
上記表示入力手段の画面に対する接触位置が有効な場合には、上記準備モードでは上記音出力手段は操作音を出力し振動発生手段は画面を振動させ、上記治療モードでは上記音出力手段は操作音を出力せず振動発生手段は画面を振動させ、
他方上記接触位置が無効の場合には、上記準備モードと治療モードのいずれの場合でも上記音出力手段は操作音を出力せず振動発生手段は画面を振動させず、
さらに上記表示入力手段は、上記接触位置が有効な場合と無効の場合とのいずれの場合でも画面に対する接触位置を表示することを特徴とする治療装置。
【請求項２】
上記表示入力手段は、上記画面に対する接触位置を表示し、かつ該画面に接触した指が該画面から離れた位置を表示することを特徴とする請求項１に記載の治療装置。
【発明の詳細な説明】
【技術分野】
【０００１】
本発明は治療装置に関し、より詳しくは、血液透析装置のように患者の付近に配置されて使用される治療装置として用いて好適な治療装置に関する。
【背景技術】
【０００２】
従来、例えば治療装置としての血液透析装置においては、画面に触れて入力を行う表示入力手段と、患者に対して所定の治療ステップを実行する治療モードと治療のための準備モードとを有する制御手段とを備えたものが知られている（特許文献１）。
上記特許文献１においては、制御手段を準備モードに切換えて、上記表示入力手段を介して目標除水量や除水速度、シリンジ流量、血液流量などを設定する必要があり、それらを設定した後に、治療モードに切換えて患者に対して所定の治療ステップを実行することとなる。
また、画面に触れて入力を行う表示入力手段においては、その入力時にスイッチやボタンのような物理的な変化がないため、正しく入力されたか否かを確認するために画面を振動させるようにしたものが知られている（特許文献２）。
さらに画面に触れて入力を行う表示入力手段においては、画面を振動させる他に、表示内容を変化させたり操作音を発生させることにより、正しく入力されたか否かを確認することも知られている（特許文献３）。
【先行技術文献】
【特許文献】
【０００３】
【特許文献１】特開２００４−３１３３２４号公報
【特許文献２】特表２０１４−５１２８７９号公報
【特許文献３】特開平２−１０５９１９号公報
【発明の概要】
【発明が解決しようとする課題】
【０００４】
上記準備モードにおいて、上記表示入力手段を介して目標除水量や除水速度、シリンジ流量、血液流量などを設定する際には、正しく入力されたか否かを操作音を発生させることによって確認することが望ましい。
ところで、治療モードにより患者に対して所定の治療ステップを実行している最中にも、その経過によっては除水速度や血液流量などの設定を変更する場合があり、その際にも上記表示入力手段を介してその変更を実行することになる。
しかしながら、血液透析装置のように、治療を受ける患者が横たわるベッドの側に配置され、かつ治療時間が長時間に亘る治療装置の場合は、その変更の際の操作音を煩わしく感じたり、不安に感じたりする患者がいる。
本発明はそのような事情に鑑み、準備モードにおいては確実な入力操作が、治療モードにおいて患者に煩わしさや不安を感じさせずに入力操作を行うことができる治療装置を提供するものである。
【課題を解決するための手段】
【０００５】
請求項１の発明は、画面に触れて入力を行う表示入力手段と、患者に対して所定の治療ステップを実行する治療モードと治療のための準備モードとを有する制御手段とを備えた治療装置において、
上記表示入力手段に対する入力操作に応じて操作音を発生させる音出力手段と画面を振動させる振動発生手段とを設け、
上記表示入力手段の画面に対する接触位置が有効な場合には、上記準備モードでは上記音出力手段は操作音を出力し振動発生手段は画面を振動させ、上記治療モードでは上記音出力手段は操作音を出力せず振動発生手段は画面を振動させ、
また上記接触位置が無効の場合には、上記準備モードと治療モードのいずれの場合でも上記音出力手段は操作音を出力せず振動発生手段は画面を振動させず、
さらに上記表示入力手段は、上記接触位置が有効な場合と無効の場合とのいずれの場合でも画面に対する接触位置を表示することを特徴とするものである。
【発明の効果】
【０００６】
請求項１の発明によれば、上記表示入力手段の画面に対する接触位置が有効な場合には、上記準備モードでは上記音出力手段は操作音を出力し振動発生手段は画面を振動させ、上記治療モードでは上記音出力手段は操作音を出力せず振動発生手段は画面を振動させ、さらに上記接触位置が無効の場合には、上記準備モードと治療モードのいずれの場合でも上記音出力手段は操作音を出力せず振動発生手段は画面を振動させないようにしてあるので、操作者はその操作音と振動とにより正しく入力されたか否かを容易に確認しながら入力操作を行うことができ、しかも治療モードでは患者に操作音による煩わしさや不安を感じさせずに入力操作を行うことができる。
そして本発明においては、上記表示入力手段は、接触位置が有効であっても無効であっても画面に対する接触位置を表示するようになっているので、指の位置がずれていたことを操作者に知らせることが可能となる。
【図面の簡単な説明】
【０００７】
【図１】本発明の実施例を示す正面図。
【図２】表示入力手段３と制御手段４との関係を示す構成図。
【図３】表示入力手段３の画面の一例を示す正面図。
【図４】画面が切り替わった状態を示す説明図。
【図５】図３と異なる画面を示す正面図。
【図６】画面に触れた際の表示のアニメーションを説明する説明図。
【発明を実施するための形態】
【０００８】
以下図示実施例について本発明を説明すると、図１において、治療装置としての血液透析装置１は、血液透析装置の主要構成部材を収容する筐体２と、該筐体２の上部に設けた表示入力手段３とを備えており、表示入力手段３はタッチパネル式でその画面に触れて入力を行うことができるようになっている。
図２に示すように、上記血液透析装置１は該血液透析装置の全体を制御する制御手段４を備えており、該制御手段４は、上記血液透析装置の血液ポンプ５（図１）などの血液透析装置を構成する構成部材を制御して患者に対して所定の治療ステップを実行する治療モードと、その治療のための準備モードとを有している。また制御手段４が上記表示入力手段３を制御する表示制御部３Ａを備えていることは勿論である。
なお、後述するように、上記準備モードから治療モードへの切換は、操作者が上記表示入力手段３を介して制御手段４に指示を与えることによって実行されるようになっている。また上記血液透析装置１の構成は従来既に周知であり、以下に述べる本発明を説明するのに必要な構成以外はその具体的な構成の説明を省略する。
【０００９】
上記血液透析装置１は、上記入力表示手段３に対する入力操作に応じて操作音を発生させる音出力手段７と、表示入力手段３に対する入力操作に応じて画面を振動させる振動発生手段８とを備えている。
上記音出力手段７は、上記入力表示手段３に設けたスピーカー７Ａと、上記制御手段４に設けられた音制御部７Ｂとから構成してあり、該音出力手段７は、上述した準備モードでは入力表示手段３に対する入力操作に応じて操作音を出力し、治療モードとなった際には、入力表示手段３に対する入力操作が行われても操作音を出力しないようにすることができるようになっている。
上記振動発生手段８は、上記入力表示手段３に設けた圧電素子８Ａと、上記制御手段４に設けられた振動制御部８Ｂとから構成してあり、該振動発生手段８は、操作音の出力の有無に拘らず、入力表示手段３に対する入力操作が行われた際には常に入力表示手段３の画面を振動させるようになっている。
【００１０】
図３は上記入力表示手段３に表示される画面の一例を示しており、その最上段の横一列に３つの工程を実行するための洗浄スイッチ１１Ａ、準備スイッチ１１Ｂ、運転スイッチ１１Ｃと、これらに隣接して血液透析装置１の運転を停止させる停止スイッチ１１Ｄと、リセットスイッチ１１Ｅとを配置してある。
最も左側の洗浄スイッチ１１Ａは、これを押圧することにより血液透析装置１に「洗浄工程」を実行させることができ、その「洗浄工程」が実行されている際には明るく表示され、それ以外では薄く表示されるようになっている。
【００１１】
上記洗浄スイッチ１１Ａの右側の準備スイッチ１１Ｂは、上記血液透析装置１の「準備工程」中に明るく表示され、それ以外では薄く表示されるようになっている。
この「準備工程」中においては、上記工程状態表示部１３の下段に設けられた「目標除水量」を設定する目標除水量設定スイッチ１４Ａと「除水速度」を設定する除水速度設定スイッチ１４Ｂとが有効となり、操作者１２がいずれかのスイッチ１４Ａ、１４Ｂを押圧すると、該部分の表示が図４に示す状態に切り替わるようになっている。
図４に示す状態では、目標除水量設定スイッチ１４Ａ’により「目標除水量」を、また除水速度設定スイッチ１４Ｂ’により「除水速度」をそれぞれ設定することができるようになっている。この際、各数値は増加スイッチ１４ａと減少スイッチ１４ｂとによって増減させることができる。
上記目標除水量設定スイッチ１４Ａ’と除水速度設定スイッチ１４Ｂ’とによって設定された「目標除水量」と「除水速度」は、図４の確定スイッチ１５Ａによって確定することができ、この確定スイッチ１５Ａが押圧されると図３の画面に戻るようになっている。また上記「目標除水量」や「除水速度」の数値を確定せずに図３の画面に戻るには、戻るスイッチ１５Ｂを押圧すればよい。
そして上記「準備」工程中の状態は、上記工程状態表示部１３に表示されるようになっている。
【００１２】
上記準備スイッチ１１Ｂの右側の運転スイッチ１１Ｃは、上記血液透析装置１の治療中に、つまり患者に対して透析を実行している際に「運転」として明るく表示され、それ以外では薄く表示されるようになっている。上記制御手段４における治療モードは、この「透析工程」を含むものである。
上記血液透析装置１の「準備工程」から「運転（透析）工程」に切り替えられると、上記準備スイッチ１１Ｂを示す表示は、図５に示すように「準備」という表示から「返血」という表示に切り替えられるようになっている。
上記「運転（透析）工程」では、入力表示手段３の画面に「現在除水量」と「静脈圧」と「透析液圧」とが表示されるようになっている。
また上記「運転（透析）工程」中の状態は、上記工程状態表示部１３に表示されるようになっている。
さらにこの「運転（透析）工程」中においても、上記工程状態表示部１３の下段に設けられた「目標除水量」を設定する目標除水量設定スイッチ１４Ａと「除水速度」を設定する除水速度設定スイッチ１４Ｂとが有効となっており、治療中に「目標除水量」や「除水速度」を変更することができるようになっている。
【００１３】
上記「運転（透析）工程」が終了すると、血液液透析装置１は上述した「返血」工程に切り替わり、血液液透析装置１の血液回路に残留した血液が患者に返血されるようになる。上記制御手段４における治療モードは、この「返血工程」を含むもので、本実施例では治療モードは「運転（透析）工程」と「返血工程」とから構成されている。
この「返血工程」中の状態も、上記工程状態表示部１３に表示されるようになる。
なお、上記入力表示手段３の画面には、血圧を測定するための血圧測定スイッチ１６や、上記血液ポンプ５をオンオフする血液ポンプＯＮ／ＯＦＦスイッチ１７が設けられている。
上記実施例においては、上記制御手段４に、上述したように「運転（透析）工程」と「返血工程」とが治療モードとして設定してあり、それ以外を準備モードとして設定してある。
そして上述したように、上記音出力手段７は準備モードでは操作音を出力するようになっているが、治療モードとなった際には操作音を出力しないように設定されており、他方、上記振動発生手段８は準備モードと治療モードとのいずれにおいても画面を振動させるように設定されている。
【００１４】
ところで、上述した各スイッチのタイプとしては、画面に触れた時に有効になるものと、触れて離した時に有効になるものと、さらに所定時間以上触れる（長押しする）と有効になるものとがある。
画面に触れた時に有効になるものとしては、リセットスイッチ１１Ｅ、血圧測定スイッチ１６、血液ポンプＯＮ／ＯＦＦスイッチ１７などの、すぐに作用させるためのスイッチがある。これらは、触れたときに「ピィ」と鳴り「ブン」と振動するようになっている。また、リセットスイッチ１１Ｅについては、警報発生時に全体的に赤く表示され、画面に触れることで表示が右下にずれてスイッチを押したような動きをし、その後赤白に連続的に変化して点滅するようになっている。そして警報状態が改善されると周囲部が赤、その内側が白の通常表示に戻るようにしてある。
このとき、図１に示すように血液透析装置１は、図示しない透析器を保持させるガートルスタンド２１の上端部に４色の表示手段２２を備えており、上記警報発生時には該表示手段２２によってその状態を表示することができるようになっている。なお、４色の表示手段２２は警報発生時以外に、各色によってどの工程が実行されているのかを表示することができるようになっている。
【００１５】
画面に所定時間以上触れる（長押しする）と有効になるものとしては、各工程を切り替えるための洗浄スイッチ１１Ａ、準備（返血）スイッチ１１Ｂ、運転スイッチ１１Ｃ、および停止スイッチ１１Ｄがある。これらは誤って触れても作用しないようにしてある。またこれらは触れたときに音はなく「ブーン」と振動し、所定時間が経過して有効となると「ピィ」と鳴り「ブン」と振動するようにしてある。
その他のスイッチは触れて離した時に有効となるもので、触れたときに「ピィ」と鳴り「ブン」と振動するようにしてある。
【００１６】
この他、準備が完了していない状態で運転スイッチ１１Ｃに触れた場合など、受付を拒否することを示す場合には「ピィピィ」と２回鳴って「ブブン」と振動するようにしてある。
また、上記増加スイッチ１５Ａと減少スイッチ１５Ｂとによる数値設定時は、単発的に触れると「ピィ」と鳴って「ブン」と振動し一つずつ数字が変わるが、継続して触れると「ピィ」と鳴って「ブーン」と振動し連続的に数字が変わるようになっている。その後、入力範囲の上限や下限に達すると「ピィピィ」と２回鳴って「ブブン」と振動するようになる。
さらに、スイッチのない所や表示のみの部分、文字が薄くなった「洗浄」スイッチなど、無効な位置に触れた場合には音も振動も生じないようになっている。
【００１７】
本実施例では、画面に触れるとその触れた位置に「○」の表示が現れるようになっている。図６は「○」の表示の変化を示したもので、触れた位置に「○」印が表示され、離すと「○」印が「◎」印に変化したのち徐々に小さくなり、最後に小さな「○」印が表示されて消滅するといったアニメーションが表示されるようになっている。
上記アニメーションは無効な位置も含めて触れると必ず表示されるように設定してあり、適正な位置に触れた後で指をずらして触れた位置とは異なる位置で離した場合には、離れた位置でアニメーションが表示されるようにしてある。これにより、スイッチが有効化されなかった場合に、指の位置がずれていたことを操作者に知らせることができる。
【００１８】
以上の構成において、血液透析装置１に対する洗浄の準備が整ったら、洗浄スイッチ１１Ａを長押しする。これにより制御手段４は予めプログラムされている準備モード内の洗浄モードを実行し、血液透析装置１を構成する各構成部材の洗浄を実行する。この「洗浄工程」の間、洗浄スイッチ１１Ａが明るく表示されるようになる。
上記洗浄モードが終了すると、制御手段４は工程状態表示部１３に洗浄工程が終了した旨を表示する。
この状態で準備スイッチ１１Ｂが長押しされると、制御手段４は準備スイッチ１１Ｂを明るく表示するとともに準備モードを実行する。この状態では、上述したように目標除水量設定スイッチ１４Ａと除水速度設定スイッチ１４Ｂとが有効となるので、操作者１２は図４に示す状態で、「目標除水量」と「除水速度」とをそれぞれ設定することができる。
この間、音出力手段７は入力表示手段３に対する入力操作に応じて操作音を出力させ、また振動発生手段８も入力操作に応じて画面を振動させるので、操作者１２はその音と振動とによって容易に入力を確認しながら入力操作を行うことができる。
【００１９】
上記準備モード中の操作により準備が完了したことを制御手段４が確認すると、該制御手段４は工程状態表示部１３に準備が終了した旨を表示する（図３参照）。
この状態で運転スイッチ１１Ｃが長押しされると、制御手段４は運転スイッチ１１Ｃを明るく表示して治療モードを構成する透析モードを開始すると同時に、音出力手段７による操作音の出力を停止させる。この治療モードにおいても、図５に示すように操作者１２は「目標除水量」と「除水速度」の設定値を変更することができるが、この際には操作音は出力されないので、患者に操作音による煩わしさや不安を感じさせずに入力操作を行うことができる。
他方、上記振動発生手段は治療モードにおいても画面を振動させるので、操作者はその振動により正しく入力されたか否かを容易に確認しながら入力操作を行うことが可能となる。
さらに上記準備スイッチ１１Ｂの表示は、治療モードが開始されると「準備完了」という表示から「透析中」という表示に切り替えられる。
【００２０】
上記透析モードによる透析が終了すると、制御手段４は工程状態表示部１３に終了した旨を表示する。
この状態で返血スイッチ１１Ｂが長押しされると、制御手段４は返血（準備）スイッチ１１Ｂを明るく表示するとともに、治療モードを構成する返血モードを実行して、血液透析装置１の血液回路中の血液を患者に返血させるようになる。
この返血モードも治療モードの中に含まれているので、音出力手段７による操作音の出力は停止されたままとなっている。
この後、返血モードが終了して治療モードが終了すると、制御手段４は音出力手段７による操作音の出力を許可するようになる。
【００２１】
なお、上記操作音の出力停止は、音制御部７Ｂからスピーカー７Ａへの出力を停止することによって実行することができるが、音制御部７Ｂからスピーカー７Ａへの出力は停止させずにスピーカー７Ａの音量を絞りあるいはゼロとすることによって達成してもよい。
【符号の説明】
【００２２】
１  血液透析装置（治療装置）    ３  表示入力手段
３Ａ  表示制御部                ４  制御手段
７  音出力手段                  ７Ｂ  音制御部
８  振動発生手段                ８Ｂ  振動制御部
１１Ａ  洗浄スイッチ            １１Ｂ  準備（返血）スイッチ
１１Ｃ  運転スイッチ            １１Ｄ  停止スイッチ
【図１】
0006701502.tif 000002
【図２】
0006701502.tif 000003
【図３】
0006701502.tif 000004
【図４】
0006701502.tif 000005
【図５】
0006701502.tif 000006
【図６】
0006701502.tif 000007